(57)【要約】【課題】簡便な構成により、露出条件が異なる複数の画像についても精度良くフリッカを検出および／または抑制可能な画像処理装置および画像処理方法を提供すること。【解決手段】異なる露出で撮影された複数の画像データを取得する取得手段と、複数の画像データのうち、フリッカノイズの検出を行う画像データを１つ選択する選択手段と、選択手段が選択した画像データに対してフリッカノイズの検出処理を適用する検出手段と、検出手段によってフリッカノイズが検出された場合、フリッカノイズを抑制するための補正値を算出する算出手段と、補正値を、選択手段が選択した画像データと同じ種類の画像データに対して適用する補正手段と、を有し、選択手段は、複数の画像データのうち、撮影時のシャッタースピードが所定値でない画像データを選択することを特徴とする、画像処理装置。【選択図】図６
2020109924.tif 000002
【特許請求の範囲】
【請求項１】
異なる露出で撮影された複数の画像データを取得する取得手段と、
前記複数の画像データのうち、フリッカノイズの検出を行う画像データを１つ選択する選択手段と、
前記選択手段が選択した画像データに対してフリッカノイズの検出処理を適用する検出手段と、
前記検出手段によってフリッカノイズが検出された場合、前記フリッカノイズを抑制するための補正値を算出する算出手段と、
前記補正値を、前記選択手段が選択した画像データと同じ種類の画像データに対して適用する補正手段と、を有し、
前記選択手段は、前記複数の画像データのうち、撮影時のシャッタースピードが所定値でない画像データを選択することを特徴とする、画像処理装置。
【請求項２】
前記所定値が、商用交流電源の周波数に応じた値であることを特徴とする請求項１に記載の画像処理装置。
【請求項３】
前記選択手段は、被写体の輝度情報と、前記撮影で用いられたプログラム線図の情報とに基づいて、前記選択を行うことを特徴とする請求項１または２に記載の画像処理装置。
【請求項４】
前記選択手段は、前記複数の画像データの撮影時のシャッタースピードがいずれも前記所定値である場合には、画像データを選択しないことを特徴とする請求項１から３のいずれか１項に記載の画像処理装置。
【請求項５】
前記選択手段は、前記複数の画像データの撮影時のシャッタースピードがいずれも前記所定値である場合であっても、被写体の輝度情報が予め定められた範囲に含まれる場合には、予め定められた画像データを選択することを特徴とする請求項１から３のいずれか１項に記載の画像処理装置。
【請求項６】
前記予め定められた範囲は、前記複数の画像データの一方のシャッタースピードが前記所定値から別の値に変更される被写体輝度に基づいて設定されていることを特徴とする請求項５に記載の画像処理装置。
【請求項７】
前記算出手段は、前記検出手段によって検出されたフリッカノイズの最大振幅が予め定められた値未満の場合、前記補正値を算出しないことを特徴とする請求項１から６のいずれか１項に記載の画像処理装置。
【請求項８】
前記算出手段は、前記検出手段によって検出されたフリッカノイズの最大振幅が予め定められた値未満の場合、前記補正値を、画像データに影響を与えない値とすることを特徴とする請求項１から６のいずれか１項に記載の画像処理装置。
【請求項９】
画像処理装置が実行する画像処理方法であって、
異なる露出で撮影された複数の画像データを取得する取得工程と、
前記複数の画像データのうち、フリッカノイズの検出を行う画像データを１つ選択する選択工程と、
前記選択工程で選択された画像データに対してフリッカノイズの検出処理を適用する検出工程と、
前記検出工程によってフリッカノイズが検出された場合、前記フリッカノイズを抑制するための補正値を算出する算出工程と、
前記補正値を、前記選択工程が選択した画像データと同じ種類の画像データに対して適用する補正工程と、を有し、
前記選択工程は、前記複数の画像データのうち、撮影時のシャッタースピードが所定値でない画像データを選択することを特徴とする、画像処理方法。
【請求項１０】
コンピュータを、請求項１から８のいずれか１項に記載の画像処理装置が有する各手段として機能させるためのプログラム。
【発明の詳細な説明】
【技術分野】
【０００１】
本発明は、画像処理装置および画像処理方法に関し、特に撮影時の環境光が画像に与える影響を抑制する技術に関する。
【背景技術】
【０００２】
明るさが変動する環境光（フリッカ光源）下においてＣＭＯＳイメージセンサなどの固体撮像素子を用いて撮影した画像に、環境光の明るさの変化が影響する場合がある。典型的な例として、蛍光灯下で撮影された画像の明るさや色味が変化する現象が知られている。これは、蛍光灯の明滅タイミングと撮像素子の蓄積（露光）期間との関係によって発生する。特に、ライン露光順次読み出し（ローリングシャッタ）方式で撮影する場合、ラインごとに蓄積期間が異なるため、画質への影響が大きい。
【０００３】
このような、フリッカ光源による画質低下（フリッカノイズ）を抑制する方法として、光源の明滅周期の整数倍の蓄積時間とする方法が知られている。例えば商用電源周波数が５０Ｈｚである場合の光源の明滅周期（１００Ｈｚ）に合わせて、蓄積時間（シャッタースピード）を１／１００秒など、光源の明滅周期の整数倍に設定する方法である。また、別の方法として、画像から光源に起因する周期的な明るさの変化（以下、単にフリッカと称する）を検出（フリッカ検出）し、検出したフリッカを打ち消すように画像の明るさを補正する方法が知られている。
【０００４】
ここで、例えば、ブラケット撮影やＨＤＲ画像を生成するための撮影のように、露出時間を変えながら複数回撮影する必要がある場合、フリッカノイズを抑制をできる露出時間が設定できない場合がある。また、撮影ごとに露出が変わることにより、フリッカ検出の精度が低下し、十分な補正が行えない場合がある。
【０００５】
特許文献１では、露出条件の異なる画像ごとに異なるフリッカ検出器を用いる構成が提案されている。
【先行技術文献】
【特許文献】
【０００６】
【特許文献１】特開２０１４−１７９９２４号公報
【発明の概要】
【発明が解決しようとする課題】
【０００７】
フリッカ検出器はハードウェア回路としても、プログラマブルプロセッサが実行するソフトウェアとしても実現可能である。しかし、複数のフリッカ検出器をハードウェア回路として実現する場合、ハードウェア規模（すなわち、実装面積およびコスト）が増加する。また複数のフリッカ検出器をソフトウェアとして実現する場合、プロセッサの処理負荷（すなわち、プロセッサのコストや消費電力）が増加する。
【０００８】
本発明はこのような従来技術の課題を少なくとも削減することを目的とし、簡便な構成により、露出条件が異なる複数の画像についても精度良くフリッカを検出および／または抑制可能な画像処理装置および画像処理方法を提供する。
【課題を解決するための手段】
【０００９】
上述の目的は、異なる露出で撮影された複数の画像データを取得する取得手段と、複数の画像データのうち、フリッカノイズの検出を行う画像データを１つ選択する選択手段と、選択手段が選択した画像データに対してフリッカノイズの検出処理を適用する検出手段と、検出手段によってフリッカノイズが検出された場合、フリッカノイズを抑制するための補正値を算出する算出手段と、補正値を、選択手段が選択した画像データと同じ種類の画像データに対して適用する補正手段と、を有し、選択手段は、複数の画像データのうち、撮影時のシャッタースピードが所定値でない画像データを選択することを特徴とする、画像処理装置によって達成される。
【発明の効果】
【００１０】
本発明によれば、簡便な構成により、露出条件が異なる複数の画像についても精度良くフリッカを検出および／または抑制可能な画像処理装置および画像処理方法を提供することができる。
【図面の簡単な説明】
【００１１】
【図１】実施形態におけるデジタルカメラのシステム構成図
【図２】実施形態におけるＨＤＲ映像生成モードにおける画像の画像系列の例
【図３】実施形態におけるＨＤＲ映像生成モードの合成比率
【図４】実施形態におけるＨＤＲ映像生成モードの露出制御仕様のＢｖ-Ｔｖ図
【図５】実施形態におけるフリッカ検知のフローチャート
【図６】実施形態におけるフリッカ補正可否による被写体輝度のエリア分けの例
【図７】実施形態におけるフリッカ処理部１３の内部構成図
【発明を実施するための形態】
【００１２】
以下、添付図面を参照して本発明をその例示的な実施形態に基づいて詳細に説明する。なお、以下の実施形態は特許請求の範囲に係る発明を限定しない。また、実施形態には複数の特徴が記載されているが、その全てが発明に必須のものとは限らず、また、複数の特徴は任意に組み合わせられてもよい。さらに、添付図面においては、同一若しくは同様の構成に同一の参照番号を付し、重複した説明は省略する。
【００１３】
また、以下では、本発明に係る画像処理装置（本発明に係る画像処理方法を実施可能な装置）の一例としてのデジタルカメラ１に関して説明する。しかしながら、本発明は一般的なコンピュータ機器において実施することが可能である。このような電子機器には、撮像装置、パーソナルコンピュータ（タブレット端末を含む）、スマートフォン、ゲーム機、メディアプレーヤ、ロボット、家電製品などが含まれるが、これらに限定されない。
【００１４】
図１は、実施形態にかかるデジタルカメラ１の機能構成例を示すブロック図である。なお、図１において「部」で終わる名称を有する機能ブロックは、ハードウェア回路、プログラマブルプロセッサが実行するソフトウェア、またはその組み合わせによって実現することができる。
【００１５】
レンズ群１０は、フォーカスレンズや変倍レンズなどの可動レンズを含む、複数の光学レンズと、可動レンズを駆動するための機構と、絞りおよび／または減光フィルタとを含む。レンズ群１０は着脱可能であってもなくてもよい。レンズ群１０は被写体の光学像を撮像素子１１の撮像面に形成する撮影光学系を形成する。なお、本実施形態に係るデジタルカメラ１はレンズ群１０が一体的に設けられた構成について説明したが、例えば、レンズ群１０を備えたレンズユニットをデジタルカメラ１に対して着脱可能な構成であってもよい。
【００１６】
撮像素子１１は、２次元配置された複数の画素を有する。各画素は１つ以上の光電変換素子を有し、入射光量に応じた電気信号を生成する。なお本実施形態において撮像素子１１はライン露光順次読み出し（ローリングシャッタ）方式の撮像素子であるものとする。また、撮像素子１１はＡ／Ｄ変換回路を有し、各画素が生成した電気信号がデジタル値（画像データ）として読み出される。撮像素子１１から読み出された画像データは、信号処理部１２に供給される。
【００１７】
信号処理部１２は画像データに対して予め定められた信号処理を適用し、信号処理を適用した画像データをフリッカ処理部１３に出力する。また、信号処理部１２は、画像データに信号処理を適用して得られた情報を制御部２０に出力する。ここで、信号処理部１２が適用する信号処理には、色補間処理、補正処理、検出処理、評価値算出処理などが含まれる。色補間処理は、画素から読み出した画像データに含まれていない色成分の値を補間する処理であり、デモザイク処理とも呼ばれる。補正処理には、画像の輝度を補正する処理、レンズ群１０の光学収差を補正する処理、色を補正する処理などが含まれる。検出処理には、特徴領域（たとえば顔領域や人体領域）の検出および追尾処理、人物の認識処理などが含まれる。評価値算出処理は、制御部２０が行う自動露出制御処理や自動焦点検出処理に用いる評価値の算出処理である。例えば、後述する被写体の輝度情報（被写体輝度値）は、自動露出制御用の評価値として算出することができる。なお、これらは単なる例示であり、信号処理部１２が適用する信号処理を限定するものではない。
【００１８】
フリッカ処理部１３は、画像データから光源の明るさの変動（フリッカノイズまたはフリッカ成分）を検出し、画像データにフリッカノイズを打ち消す補正を適用して画像合成部１４に出力する。フリッカ処理部１３の構成および動作の詳細については後述する。なお、ブラケット撮影時のように画像合成が必要ない場合、フリッカ処理部１３は画像データを記録処理部１５に出力してもよいし、画像合成部１４が入力された画像データをそのまま記録処理部１５に出力するようにしてもよい。
【００１９】
画像合成部１４はＨＤＲ画像の生成に用いる複数フレーム分の画像データから、１フレームのＨＤＲ画像のデータを生成し、記録処理部１５に出力する。画像合成部１４は、画像データ間の露出差に応じた非線形な階調変換処理を適用して各フレームの画像データの輝度を調整する。その後、画像合成部１４は、各フレームの画像データについて、対応する画素位置のデータの輝度値に基づいて画素位置ごとに決定した合成比率に基づいて各フレームの画像データを合成する。なお、合成する複数フレーム分の画像データは、画像合成部１４内のメモリに格納することができる。
【００２０】
あるいは、合成する複数フレーム分の画像データは、制御部２０を通じてメモリ２２に格納してもよい。この場合、フリッカ処理部１３から画像データを制御部２０に出力し、制御部２０が画像データをメモリ２２に格納する。そして、画像合成部１４はメモリ２２に格納された画像データを参照して合成比率の決定および合成画像の生成を実行する。なお、合成画像の生成はデジタルカメラ１の内部で実行する構成ではなく、デジタルカメラ１に接続された外部機器で実行する構成であってもよい。
【００２１】
記録処理部１５では、フリッカ処理部１３または画像合成部１４から供給される画像データから予め定められた記録形式に応じた記録用の画像データと付随情報とを生成する。そして、記録処理部１５は、画像データおよび付随情報を含んだ画像データファイルを記録媒体１６に記録する。記録処理部１５は、記録用の画像データを生成する際、符号化処理を適用することができる。記録媒体１６は例えば半導体メモリカードである。
【００２２】
制御部２０はプログラマブルプロセッサを有し、不揮発性の記憶媒体に記憶されたプログラムをメモリに読み込んで実行することにより、各部の動作を制御し、デジタルカメラ１の各種機能を実現する。なお、不揮発性の記録媒体およびプログラムを読み込むメモリは、制御部２０が有してもよいし、メモリ２２の一部であってもよい。
【００２３】
制御部２０は信号処理部１２が算出する評価値に基づいて自動露出制御処理や自動焦点検出処理を実行する。制御部２０は自動露出制御処理によって撮影条件（絞り値および／または使用するＮＤフィルタ、シャッタースピード（電荷蓄積時間）、撮影感度）を決定し、露出制御部１７を通じて絞りやＮＤフィルタを制御する。また、制御部２０は自動焦点検出処理によってフォーカス制御部１８を通じてフォーカスレンズを駆動し、レンズ群１０の合焦距離を調整する。なお、本実施形態では、ＡＰＥＸ（ＡＤＤＩＴＩＶＥ ＳＹＳＴＥＭ ＯＦ ＰＨＯＴＯＧＲＡＰＨＩＣ ＥＸＰＯＳＵＲＥ）単位における１Ｅｖを露出（露出量）の１段分とする。
【００２４】
制御部２０はまた、デジタルカメラ１に設けられた入力デバイスの総称である操作部２１を監視し、操作部２１の操作が検出されると、検出された操作に応じた動作を実行する。制御部２０は例えば操作部２１に含まれるズームレバーの操作を検出すると、ズームレバーの操作に応じた方向および量、ズーム制御部１９を通じて変倍レンズを移動させ、レンズ群１０の焦点距離を変更する。
【００２５】
以下、露出を変えながら複数回撮影を行う動作の一例として、ＨＤＲ画像生成モードにおける動作について説明する。ＨＤＲ画像生成モードは、露出条件を変えながら撮影した複数フレームの画像データから１フレームのＨＤＲ画像フレームを生成するモードである。具体的に、複数のフレームの画像データを合成して１つのＨＤＲ画像フレームを生成する。ここでは、ＨＤＲ画像フレームからなるＨＤＲ動画を生成して記録するものとするが、静止画撮影であってもよい。
【００２６】
また、本実施形態ではＨＤＲ画像フレームを生成するための複数の露出条件として、自動露出制御処理で決定される適正露出と、適正露出よりも露出量が少ないアンダー露出の２つを交互に用いるものとする。しかし、適正露出と適正露出よりも露出量が多いオーバー露出の２種類を用いたり、適正露出、アンダー露出、オーバー露出の３種類を用いたりしてもよい。
【００２７】
図２（ａ）は、ＨＤＲ画像生成モードにおける各フレームの露出状態と、撮像素子１１のラインごとの電荷蓄積（露光）期間のタイミングとの関係を示している。図２（ａ）では、アンダー露出の露出量を、適正露出よりも撮影感度を下げた撮影条件によって実現する場合を示している。一方、被写体が明るい場合など、撮影感度を下げることができない場合には、図２（ｂ）に示すように、適正露出よりも露光時間を短くしてアンダー露出の露出量を実現する。なお、絞りを変更すると被写界深度が変化するため、絞りは原則として変化させない。なお、図２において、ＶＤは垂直駆動信号（または垂直同期信号）を示す。
【００２８】
画像合成部１４は、２種類の露出条件を用いた撮影で得られる２フレーム分の画像データに対して例えば非線形変換を適用し、同じ露出状態にしてから合成処理を実行する。ＨＤＲ画像を生成するための合成方法に特に制限はなく、公知の方法を用いることができる。例えば、対応する画素位置の画像データの値に応じて画素ごとに図３に示す関係にしたがって合成比率を決定し、決定した合成比率で画像データを合成する方法を用いることができる。
【００２９】
図３に示した合成比率は、合成後の画像で輝度の低い画素については適正露出の画像データの合成比率が高く、合成後の画像で輝度の高い画素についてはアンダー露出の画像データの合成比率が高い。このように合成比率を決定すると、高輝度部分については飽和を防ぎつつ、低輝度部分についてはＳ／ＮがよいＨＤＲ画像が得られる。なお、図３に示した合成比率は単なる一例であり、他の方法で合成比率を決定してもよい。
【００３０】
図４は、ＨＤＲ画像生成モードで用いる、フリッカノイズ除去を優先した露出制御に係るプログラム線図の例を示している。ここでは、信号処理部１２が取得した被写体輝度値（Ｂｖ値）に応じたシャッタースピード（蓄積時間）（Ｔｖ値）の変化を示すプログラム線図であって、適正露出用とアンダー露出用の２つのプログラム線図を示している。なお、図４において横軸で示すＢｖ値は図中の右側に進むほど高輝度を示し、図４において縦軸で示すＴｖ値は、図中の上側に進むほどシャッタスピードは高く（高速に）なる。
【００３１】
図４の例では、適正露出用のプログラム線図では、Ｂｖ値が最小の場合はシャッタースピードがＴｖ１であり、Ｂｖ値がＢｖ１まで上がるとシャッタースピードがＴｖ２に変更される。その後、Ｂｖ値がＢｖ２になるまではシャッタースピードをＴｖ２に維持する（Ｂｖ値が上がるにつれて絞り値（Ａｖ値）を大きくしたり、撮影感度（Ｓｖ値）を低下させる）。Ｂｖ値がＢｖ３以上の範囲ではシャッタースピードをＴｖ２に維持できなくなるため、シャッタースピードをＴｖ２より高い（速い）値とする。
【００３２】
図４のプログラム線図は、シャッタースピードＴｖ２をできるだけ維持することを優先したプログラム線図の一例である。フリッカ処理部１３で検出されたフリッカノイズの周波数に応じて、フリッカノイズを抑制できるシャッタースピードをＴｖ２に設定することで、フリッカノイズの除去を優先したプログラム線図として機能する。
【００３３】
たとえば商用交流電源の周波数が６０Ｈｚの場合、フリッカ処理部１３では１２０Ｈｚの明滅周波数を有するフリッカノイズが検出される。この場合、Ｔｖ２を１/１２０秒（もしくはその近傍）に設定することにより、適正露出の撮影では被写体輝度Ｂｖ１からＢｖ３の範囲でフリッカノイズを抑制できる。同様に、商用交流電源の周波数が５０Ｈｚの場合、フリッカ処理部１３では１００Ｈｚの明滅周波数を有するフリッカノイズが検出される。この場合、Ｔｖ２を１/１００秒（もしくはその近傍）に設定すればよい。
【００３４】
一方、アンダー露出用のプログラム線図は、適正露出用のプログラム線図を矢印で示す方向に所定量ずらしたものに相当する。したがって、適正露出量のプログラム線図と、アンダー露出用のプログラム線図とは低輝度部分（＜Ｂｖ１）と高輝度部分（＞Ｂｖ２）とでシャッタースピードが異なっている。なお、図４に示したプログラム線図は単なる一例であり、シャッタースピードの数が多かったり、絞りや感度による制御を行わなかったりするプログラム線図が用いられてもよい。
【００３５】
フリッカ処理部１３でフリッカノイズが検出された場合、その明滅周波数に応じてＴｖ２を設定することにより、Ｔｖ２で撮影可能な被写体輝度の範囲についてはフリッカノイズを抑制することができる。しかし、適正露出撮影時において被写体輝度がＢｖ１未満の場合およびＢｖ３以上の場合と、アンダー露出撮影時における被写体輝度Ｂｖ２以上の場合には、シャッタースピードをＴｖ２に設定できない。この場合、後述するように、撮影された画像に含まれるフリッカノイズを画像処理によって抑制する必要がある。
【００３６】
フリッカノイズの検知に基づく露出制御動作について、図５に示すフローチャートを用いて説明する。この処理は例えばＨＤＲ画像生成モードが設定されていたり、フリッカ軽減設定がされていたりする場合であって、例えば撮影スタンバイ時に実行するＥＶＦ表示用の動画撮影を利用して実施することができる。しかし、他のタイミングで実行されてもよい。
【００３７】
まずＳ３０１で制御部２０は、フリッカノイズを検知するために、露出制御に用いるプログラム線図を、フリッカノイズ検出用のプログラム線図にする。このプログラム線図は、想定されるフリッカノイズの周波数（例えば１００Ｈｚや１２０Ｈｚ）よりも速いシャッタースピード（例えば１／２５０秒以下）をできるだけ使用するようなプログラム線図であってよい。
【００３８】
撮影されたフレーム画像のデータは、上述した処理を経て信号処理部１２からフリッカ処理部１３に供給される。フリッカ処理部１３は、供給される画像データにフリッカノイズの検出処理（詳細は後述）を適用する。フリッカ処理部１３は、フリッカノイズが検出された場合、検出されたことを、検出されたフリッカノイズの周波数とともに制御部２０に通知する。
【００３９】
Ｓ３０２で制御部２０は、フリッカ処理部１３から、フリッカノイズが検出されたとの通知があれば処理をＳ３０３に進める。一方、フリッカノイズが検出されたとの通知がなければ、制御部２０は特に何もしない（フリッカノイズ検出用のプログラム線図を用いた動画撮影を継続する）。
【００４０】
Ｓ３０３で制御部２０は、露出制御に用いるプログラム線図を、検出されたフリッカノイズが抑制できるシャッタースピードをできるだけ維持するプログラム線図（フリッカノイズ除去用プログラム線図）に切り替える。また、ＨＤＲ画像生成モードで用いる図４のプログラム線図におけるＴｖ２の値を、検出されたフリッカノイズが抑制できるシャッタースピードに設定する。
【００４１】
このように、制御部２０は、検出されたフリッカノイズの周波数に基づいて、プログラム線図の特性を変更したり、プログラム線図におけるシャッタースピードの値（Ｔｖ値）を設定（変更）したりすることができる。これにより、フリッカノイズを低減する露出条件で撮影することを可能にする。
【００４２】
図７は、フリッカ処理部１３の機能構成例を示すブロック図である。フリッカノイズ検出部１３０は、画像データからフリッカノイズを検出する。画像選択部１３１は、露出条件の異なる複数フレームの画像データの中から、フリッカノイズ検出部１３０がフリッカノイズを検出する画像データを決定する。補正値算出部１３２は、検出されたフリッカノイズを抑制するための補正値を算出（決定）する。フリッカノイズ補正部１３３は、補正値算出部１３２が算出した補正値を画像データに適用して記録処理部１５に出力する。フリッカ処理部１３における、フリッカノイズの検出、フリッカノイズを抑制するための補正値の算出、補正値の適用は画像処理によるフリッカノイズの抑制に相当する。
【００４３】
フリッカノイズ検出部１３０の動作の詳細について説明する。画像データからフリッカノイズを検出には、まず、経時変化しない成分（定常成分）を特定する必要がある。定常成分は例えば以下の式１に従って特定することができる。
mem = ave × k + mout × (1-k)            （式１）
ここで、memは定常成分の値であり、aveは入力される画像データの各行の色成分の信号値であり、kは巡回型ローパスフィルタのフィルタ係数であり、moutは１フレームの前の画像データについて得られたmemの値である。式１の演算を入力画像データの各ラインに対して実行することにより、時間方向の定常成分を特定することができる。
【００４４】
そして、入力される画像データの各ラインの信号値を、特定した定常成分で除算することにより、フリッカノイズ（画像データに含まれる時間方向の変動成分）を検出することができる。ラインごとに検出されたフリッカノイズ成分から、ラインに直交する方向（垂直方向）における経時的な信号レベルの変動特性のモデル（フリッカモデル）を生成することができる。
【００４５】
フリッカモデルは、例えば垂直方向にある特定の振幅ｗ、周波数ｆ、位相θを持つ周期的な関数として近似することができる。光源を駆動する交流電源の電圧変動が三角関数の特徴を持つため、正弦波（または余弦波）を用いてフリッカモデルを近似するのが一般的であるが、他の周期的な理想関数を用いてもよい。
【００４６】
フリッカモデルを近似する関数の周波数ｆは、撮影フレームレートと環境光を駆動する電源周波数により決定することができる。また、位相θは検出されたフリッカノイズのうち、特定のライン（例えば変動比が１で、垂直方向に変動比の変化量で１をとるライン）を位相θ=０として各行の位相を算出することができる。また振幅ｗは算出された位相θがπ／２および３π／２に相当するラインの変動比から算出することができる。入力画像データに基づいて生成されたフリッカモデルは入力画像データに含まれるフリッカノイズを表す。
【００４７】
補正値算出部１３２は、このようにして生成されたフリッカモデルに基づいて、ラインごとの補正値（補正ゲイン）を算出（決定）する。ライン露光順次読み出し（ローリングシャッタ）方式の撮像素子では、ライン（画素行）ごとに露光期間が異なるため、フリッカノイズのレベルはラインごとに異なる。そのため、補正値算出部１３２は、補正値をラインごとに算出する。なお、撮像素子１１が複数ラインを同時に読み出し可能な構成の場合には、補正値の算出を、蓄積期間が同じ複数のラインごとに実行すればよい。
【００４８】
補正値は、ラインごとの明るさの変化を打ち消し、各ラインの明るさを揃えるための係数である。フリッカモデルを正弦波や余弦波を用いた関数で近似している場合、対象ラインの位相をπずらした位相に対応する関数値を補正係数として算出することができる。また、検出されたフリッカ成分が1倍を中心に正規化されていれば検出フリッカ成分の逆数を補正係数としてもよい。なお、撮像素子１１にカラーフィルタが設けられている場合、各ラインについて同色のカラーフィルタが設けられた画素群ごとに補正値を算出することができる。
【００４９】
フリッカノイズ補正部１３３は、補正値算出部１３２が算出した補正値を画像データに適用することにより、画像データに含まれるフリッカノイズを補正する。なお、フリッカノイズ補正部１３３は、補正値が対象とする単位に応じて、１ライン中の画像データ全てに同一の補正値を適用したり、１ライン中の画像データのうち、同色のカラーフィルタが設けられた画素に対応する画素データごとに補正値を適用したりする。
【００５０】
次に、画像選択部１３１について説明する。図４に関して説明したように、ＨＤＲ画像生成モードで用いるプログラム線図では、アンダー画像と適正画像とが異なるシャッタースピードで撮影される被写体輝度の領域が存在する。被写体輝度がこの領域に該当する場合、一方の画像にだけフリッカノイズが含まれる（あるいは、画像間におけるフリッカノイズのレベル差が大きくなる）。
【００５１】
また、シャッタースピードが高速になると、画像データに含まれるフリッカノイズのレベルとフリッカモデルに基づくレベルとの差が大きくなることがある。これは、光源として用いられている物質の発光量が、入力電圧の変化に対して応答特性を有するためである。例えば、入力電圧が減少する場合と増加する場合とで電圧−発光量の特性が異なったり、特定の電圧（例えば０［ｖ］）付近だけ他の部分と異なる電圧−発光量の特性を有したりする。このような光源については、実際のフリッカノイズを関数で近似することが容易でない。さらに、シャッタースピードが高速になると、光源の明滅周期のごく一部の期間に露光されるため、フリッカモデルと実際のフリッカノイズとの誤差が大きくなりやすい。この場合、フリッカノイズの補正精度が低下する。したがって、本実施形態では、画像処理によるフリッカノイズの補正は、フリッカモデルと実際のフリッカノイズとの誤差が大きくない範囲のシャッタースピードで撮影された画像データにとどめる。換言すれば、画像処理によるフリッカノイズの抑制は、所定のシャッタースピードを上限として実行する。
【００５２】
図６は、図４のプログラム線図における被写体輝度の範囲を、画像処理によるフリッカノイズの補正の適用制御に着目して複数のエリアに分類したものである。
エリア１においては、アンダー露出で撮影した画像（アンダー画像）はシャッタースピードＴｖ２で撮影することで、フリッカノイズを抑制できる。一方、適正露出で撮影した画像（適正画像）ではシャッタースピードがＴｖ２でないためフリッカノイズが含まれる。この場合、適正画像については画像処理によるフリッカノイズの抑制を実施する。
【００５３】
エリア２についてはアンダー画像、適正画像ともに撮影条件によってフリッカノイズが抑制できるため、画像処理によるフリッカノイズの抑制は不要である。
【００５４】
エリア３、４については、適正画像では撮影条件によってフリッカノイズが抑制できるが、アンダー画像にはフリッカノイズが含まれる。エリア３、４では、アンダー画像の撮影時のシャッタースピードがＴｖ２より速くなるが、エリア３については画像処理によるフリッカノイズの抑制効果が十分得られるため、アンダー画像に対して画像処理によるフリッカノイズの抑制を実施する。一方、エリア４については撮影時のシャッタースピードがＴｖ３以上となり、画像処理によるフリッカノイズの抑制効果が不十分となるため、アンダー画像に対して画像処理によるフリッカノイズの抑制は実施しない。
【００５５】
エリア５については、アンダー画像、適正画像ともにフリッカノイズが含まれる。アンダー画像については撮影時のシャッタースピードがＴｖ３を超えているため、画像処理によるフリッカノイズの抑制は実施しない。一方、適正画像についてはシャッタースピードがＴｖ３を超えないため、画像処理によるフリッカノイズの抑制を実施する。
【００５６】
エリア６については、アンダー画像、適正画像ともにフリッカノイズが含まれる。しかし、アンダー画像、適正画像とも撮影時のシャッタースピードがＴｖ３を超えているため、画像処理によるフリッカノイズの抑制は実施しない。
【００５７】
画像選択部１３１は、このような、画像処理によるフリッカノイズの抑制の適用制御を実現するために設けられている。つまり、画像選択部１３１は、被写体輝度に応じて、撮影時のシャッタースピードが所定値（Ｔｖ２）でない種類の画像データを画像処理によるフリッカノイズの抑制対象として選択し、フリッカノイズ検出部１３０に通知する。そして、フリッカノイズ検出部１３０は、通知された抑制対象の画像データについて、フリッカノイズの検出を行う。なお、フリッカ処理部１３に入力されている画像データがアンダー画像のデータであるか、適正画像のデータであるかは、フリッカノイズ検出部１３０が入力タイミングによって判別してもよいし、制御部２０からフリッカノイズ検出部１３０に通知してもよい。また、補正値算出部１３２はフリッカノイズが検出された種類の画像データに対する補正値を算出する。そして、フリッカノイズ補正部１３３は、補正値が算出された種類の画像データに対して補正値を適用する。
【００５８】
具体的には、画像選択部１３１には、信号処理部１２が算出した被写体輝度が、直接もしくは制御部２０を通じて供給される。また、画像選択部１３１には、使用されるプログラム線図の種類ごとに、被写体輝度と、選択する画像の種類とが関連づけられた情報が予め記憶されている。そして、制御部２０から画像選択部１３１に対し、プログラム線図を指定する情報が与えられる。画像選択部１３１は、指定されたプログラム線図と被写体輝度とから、選択する画像の種類を決定し、フリッカノイズ検出部１３０に通知する。
【００５９】
画像選択部１３１は、上述したエリア１〜６のそれぞれについて、画像処理によるフリッカノイズの抑制を行う画像データの種類をフリッカノイズ検出部１３０に通知すればよい。そのため、被写体輝度がエリア２に該当する場合には、いずれの画像データもフリッカノイズ検出部１３０に通知する必要はない。
【００６０】
しかし、フリッカノイズの検出には式１に関して説明したように過去の情報が必要である。したがって、補正値は算出する必要がなくても、フリッカノイズを安定して検出するために、フリッカノイズ検出部１３０にはフリッカノイズの検出処理を実行させておいた方がよい。
【００６１】
例えば、被写体輝度がエリア２からエリア１に変化した場合には、適正画像について補正値の算出を開始する必要がある。また、被写体輝度がエリア２からエリア３に変化した場合には、アンダー画像について補正値の算出を開始する必要がある。被写体輝度がエリア２からエリア１になってからフリッカノイズの検出を開始すると、定常成分が安定して検出されるまでに時間がかかる。そのため、被写体輝度がエリア１との境界から予め定められた範囲に該当する場合、被写体輝度がエリア２に該当していても適正画像を選択するようにして、フリッカノイズの検出処理を適正画像のデータに対して適用させるようにすることができる。同様に、被写体輝度がエリア３との境界から予め定められた範囲に該当する場合、被写体輝度がエリア２に該当していてもアンダー画像を選択するようにすることができる。また、被写体輝度がエリア５との境界から予め定められた範囲に該当する場合、被写体輝度がエリア４に該当していても適正画像を選択するようにすることができる。
【００６２】
さらに、被写体輝度がエリア３との境界から予め定められた範囲に該当する場合、被写体輝度がエリア４に該当していてもアンダー画像を選択するようにすることができる。また、被写体輝度がエリア５との境界から予め定められた範囲に該当する場合、被写体輝度がエリア６に該当していても適正画像を選択するようにすることができる。
【００６３】
このような、定常成分の検出のための制御を行う場合、補正値算出部１３２は、フリッカノイズ検出部１３０が検出したフリッカノイズ（フリッカモデル）の最大振幅が予め定められた値未満である画像データに対しては補正値の算出を行わない。あるいは、補正値算出部１３２は、画像データに影響を与えない補正値を算出してもよい。
【００６４】
図４（図６）に示したプログラム線図と、図６に示したエリアごとの制御によれば、フリッカノイズ検出部１３０は被写体輝度によらず、アンダー画像もしくは適正画像の一方だけについてフリッカノイズ検出処理を適用すればよい。したがって、フリッカノイズ検出部１３０や補正値算出部１３２を複数設ける必要がなく、これらの処理部を複数設ける構成よりも回路規模、部品コスト、処理コストにおいて有利である。
【００６５】
なお、本実施形態で説明したプログラム線図では、ＨＤＲ画像データの生成に用いる適正画像とアンダー画像の何れか一方のフリッカノイズ用の補正値を算出する構成について説明したが、本発明はこのような構成に限定されない。例えば、図４とは異なるプログラム線図に基づいてアンダー画像と適正画像の両方に生じたフリッカノイズを補正する構成であってもよい。この場合、フリッカノイズ検出部１３０が検出したフリッカモデルに対して、アンダー画像と適正画像とのそれぞれについて、適正な補正値を予めメモリ２２に格納しておき、この補正値を各画像のデータに適用すればよい。例えば、アンダー画像と適正画像の露出差がＴｖ値の違いで実現されるとする。画像データに生じるフリッカノイズの影響の度合いはＴｖ値に応じて異なるため、Ｔｖ値に応じた補正値を予めメモリ２２に、例えばＴｖ値と補正値とを対応付けて（例えばテーブル形式で）記憶しておけばよい。この場合、補正値算出部１３２は適正画像用とアンダー画像用にそれぞれ別個の回路を備えてもよい。
【００６６】
なお、上述した動作のうち、露出制御を含む撮影動作については発明に必須ではない。例えば、記録媒体１６に記録された、アンダー画像と適正画像のデータを読み出して、信号処理部１２に供給する構成の画像処理装置であっても本発明は実施できる。なお、撮影時に用いられたプログラム線図に関する情報や、画像の種類（アンダー画像か適正画像か）は、例えば画像データのヘッダ情報などに含めて記録しておけばよい。
【００６７】
以上説明したように、本実施形態によれば、異なる露出で撮影された複数の画像データについて、被写体輝度に応じてフリッカノイズの検出を行う画像データを１つ選択するようにした。そのため、簡便な構成でフリッカノイズの検出および補正が可能となる。
【００６８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６９】
本発明は上述した実施形態の内容に制限されず、発明の精神および範囲から離脱することなく様々な変更及び変形が可能である。したがって、発明の範囲を公にするために請求項を添付する。
【符号の説明】
【００７０】
１０…レンズ群、１１…撮像素子、１２…信号処理部、１３…フリッカ処理部、２０…制御部、２１…操作部、１３０…フリッカノイズ検出部、１３１…画像選択部、１３２…補正値算出部、１３３…フリッカ補正部
【図１】
2020109924.tif 000003
【図２】
2020109924.tif 000004
【図３】
2020109924.tif 000005
【図４】
2020109924.tif 000006
【図５】
2020109924.tif 000007
【図６】
2020109924.tif 000008
【図７】
2020109924.tif 000009